(57)【要約】移動電話間のデータ送信方法であって、要求信号が第１の移動電話から無線通信インターフェースを介して第２の移動電話に送信され、第２の移動電話の電話番号が第１の移動電話に送信される。
2005519545.tif 000002
【特許請求の範囲】
【請求項１】
移動電話間でのデータ送信方法であって、第１の移動電話から第２の移動電話に無線通信インターフェースを介して要求信号が送られ、前記第２の移動電話の電話番号が第１の移動電話に送信されることを特徴とする方法。
【請求項２】
赤外線インターフェースが前記無線通信インターフェースとして用いられることを特徴とする請求項１に記載の方法。
【請求項３】
前記電話番号は赤外線インターフェース及び／又は無線接続、特にブルートゥース接続、ＤＥＣＴ接続、及び／又はＧＳＭ接続を介して送信されることを特徴とする請求項または２に記載の方法。
【請求項４】
例えば氏名、アドレス、ｅメールアドレスの少なくともいずれかである前記第２の移動電話のユーザ固有のデータも、前記第１の移動電話に送信されることを特徴とする請求項１ないし３のいずれかに記載の方法。
【請求項５】
好ましくはＳＭＳメッセージの形態であるメッセージが前記第１の移動電話により前記第２の移動電話へ送られることを特徴とする請求項１ないし４のいずれかに記載の方法。
【請求項６】
データ送信後に、光、音響、振動の信号の少なくともいずれかが前記第１、第２の移動電話の少なくともいずれかで発せられることを特徴とする請求項１ないし５のいずれかに記載の方法。
【請求項７】
前記データ送信機能は前記第２の移動電話においてユーザにより停止可能となっていることを特徴とする請求項１ないし６のいずれかに記載の方法。
【請求項８】
前記データ送信は、与えられた、あるいは明記できる判定基準を満たす機能として発生することを特徴とする請求項１ないし７のいずれかに記載の方法。
【請求項９】
前記判定基準は、ユーザ独自のプロファイルとファイルの少なくともいずれかであることを特徴とする請求項８に記載の方法。
【請求項１０】
データ送信の準備のできた前記第２の移動電話が前記第１の移動電話上に表示されることを特徴とする請求項１ないし９のいずれかに記載の方法。
【請求項１１】
前記データ送信は、ＧＳＭネットワークのすべての加入者間、送信／受信セル内の加入者間、あるいは限定されたグループの加入者間で発生することを特徴とする請求項１ないし１０のいずれかに記載の方法。
【請求項１２】
請求項１ないし１１のいずれかで請求された方法を実行するために設計された移動電話。
【請求項１３】
請求項１２で請求された移動電話を複数備えたデータ送信システム。
【発明の詳細な説明】
【技術分野】
【０００１】
本発明は移動電話（mobile telephone）間のデータ送信方法に関する。この発明は本発明による方法が行われる移動電話にも関する。
【背景技術】
【０００２】
移動電話のユーザの数は現在非常に多く、なお増加し続けている。移動電話はどこでも実際に使用され、例えば余暇のイベントや会議中のような非常にノイズの多い環境中でも実際に使用される。このような場合、テキストメッセージは送られなければならず、ＳＭＳ（short message service）の形態で受け取られなければならない。しかし、このための一つの条件は、他の人の移動電話電話番号が知られていることである。しかし、雑音の多い環境や会議中のように、隣人に電話をかけることが困難であったり好ましくなかったりするために、移動電話によりコンタクトをとることが不可能である状況も想像できる。例えば人混み中のように移動の自由が大きく制限されると、同じ条件が適用される。この場合、コンタクトを取ろうとする移動電話には達することができない。
【発明の開示】
【発明が解決しようとする課題】
【０００３】
したがって、この発明の基礎となる目的は、接触を確立するために他の移動電話のデータを得ることのできる移動電話間のデータ送信方法を確立することである。
【課題を解決するための手段】
【０００４】
この目的は、本発明により、導入部に述べられている方法、すなわち第１の移動電話から無線通信インターフェースを介してリクエスト信号が第２の移動電話に送られ、第２の移動電話の電話番号が第１の移動電話に送信されることにより達成される。
【０００５】
他の人の移動電話の最初には知られていない番号は本発明によるプロセスで自動的に決定される。第２の移動電話の番号が第１の移動電話に送信された後には、２つの電話間で声の通信あるいはデータの通信を発生させることができる。この方法は、電話番号をノイズの多い環境でも聞き間違いの危険なしに安全に送信できる点で有利である。移動電話のユーザは、例えば会議や余暇のイベント中のような場合でも、存在している他の人を邪魔することのないように電話番号を雑音なしにかつ無感応に送信できる。
【０００６】
好ましくは、赤外線インターフェースが無線通信インターフェースとして用いられる。多くの移動電話はすでに赤外線インターフェースに適合されているので、本発明による方法は比較的低コストで実施できる。移動電話間のデータ送信を発生させるために、それぞれ赤外線インターフェースを備えた電話機は、第１の電話が第２の電話に要求信号を送ることができるようにセットアップされる。
【０００７】
電話番号は赤外線インターフェースを介して送信されると有利である。しかし、電話番号がいかなる無線接続、例えば、ブルートゥース（Blue Tooth）接続および／またはＤＥＣＴ接続および／またはＧＳＭ接続を介して送信されることを代替的に設けても良い。
【０００８】
本発明による方法の他の実施例では、第２の電話のユーザ固有のデータが電話番号に加えて送信されることが提供されても良い。これらはユーザの名前、住所、地上電話番号(land line telephone number)、あるいは、例えばｅメールアドレスであり得る。データは会社や組織への加入に関する情報を含むこともできる。名刺と同様に、ユーザ固有のデータは第２の電話のユーザの種々の個人的な情報あるいはビジネス情報を含み得る。本発明の方法によりすべてのデータは第２の電話に対して単に送信される。次に第１の電話のユーザは、後に第２の電話のユーザと連絡をとるために必要な情報を持つ。
【０００９】
本発明の方法において、メッセージが第１の移動電話から第２の移動電話に送られると都合が良い。このメッセージはデータ送信前に送られることがあるが、代わりにデータ送信の成功を確認するものであっても良い。メッセージは、第２の移動電話の今や知られた番号に送られるＳＭＳメッセージの形でも提供され得る。このようにして、第２の移動電話のオーナーは第１の移動電話の電話番号を学習し、相互のデータ交換が発生する。同様にＳＭＳメッセージはさらに第１の移動電話のユーザ独自のデータを含んでも良い。  
データ送信における高度のセキュリティが、データ送信後に信号が第１と第２の移動電話の少なくともいずれかに送られるような方法中で達成される。信号は、エラーのないデータ送信を確認する光、音響、振動信号の少なくともいずれかであって良い。同様に、送信の失敗についても表示できる。
【００１０】
本発明による方法においては、データ送信機能が第２の移動電話においてユーザにより電源オフすることが提案されている。このようにして、ユーザはどの時点で彼の移動電話からデータを回復できるかを決定することができる。第２の移動電話のユーザが各データ送信について同意しなければならず、それによって彼の電話番号あるいはさらなるデータを権限のない人に送信されることが防止されるようにしても良い。
【００１１】
本発明による方法の変形例によれば、データ送信は与えられたあるいは明記できる判定基準を満足する機能として発生するようにしても良い。この判定基準は、ユーザ独自のプロファイルとフィルタの少なくともいずれかであっても良い。例えば、そのプロファイルは、自身の電話番号を供給する移動電話のみに対して電話番号を送るように構成するようにしても良い。その電話番号は、特別の明記された特徴を有する移動電話に対してのみ送信するようにしても良い。
【００１２】
いくつかの移動電話間でデータ送信を行うには、第１の移動電話がデータ送信の準備のできた第２の移動電話を表示するようにするようにしても良い。この方法は、特に、会議のような大きなグループに対して適当である。本発明による方法によれば、参加者は他の参加者の移動電話の番号を迅速にチェックすることができる。
【００１３】
移動電話サービスの供給業者は、ＧＳＭネットワークのすべての参加者間、送信／受信セル内の加入者間、あるいは限定されたグループの加入者間でデータ送信を発生させるかどうかについて確立させることができる。これは、本発明による方法を最初は特別のセルで、そして徐々に拡大するようにしてテストする可能性を与える。各加入者は本発明による方法の使用前に、料金の支払い後に適用される権限を与えられていなければならないようにしても良い。
【発明を実施するための最良の形態】
【００１４】
本発明は、本発明による方法を実行するように設計された移動電話およびそのような移動電話の複数により構成されたデータ送信システムにも関する。
【００１５】
本発明のこれらおよび他の特徴は以下に記載された実施例を参照することによりはっきり明確になろう。
【００１６】
図は第１の移動電話１と第２の移動電話２を示す。各移動電話はディスプレイ３，４，入力キー５，６および赤外線インターフェース７，８を有している。第１の移動電話のユーザが、例えば会議中に他の加入者を邪魔することなく第２の移動電話の電話番号を知りたいと希望したとき、移動電話１，２は二つの赤外線インターフェース７，８がデータを交換できるように、図に示すように互いに配置される。２つの移動電話１，２間の距離は図に示されたものよりもかなり大きくても良い。
【００１７】
データ送信は、移動電話１により要求信号９を赤外線インターフェース７を介して第２の移動電話２に送ることにより開始される。要求信号９は第２の移動電話２の赤外線インターフェース７により受信され、有効とされる。示された実施例においては、第２の移動電話のユーザは、彼の電話番号が与えられない特別のグループおよび人をなしている。逆に、そのようなグループや人を電話番号の送信が許可されるようにすることもできる。電話２から電話１への電話番号の転送が許可されることが確立した後、電話２はユーザに彼の電話番号が転送されることを通知する音響信号を発生する。ユーザは、データ転送に対して彼の同意を宣言するためにキーパッド６のキーを活性化する。それから、赤外線インターフェース８を介して、移動電話２の電話番号が赤外線信号１０の形で移動電話１に転送される。この電話番号は、移動電話１のメモリ中に自動的に記憶去るようにできる。電話番号の他に移動電話２のユーザの名前が付加的に転送される。
【００１８】
移動電話１の電話番号はそれから同様にして電話２に送信されることができる。ＧＳＭネットワークを用いる電話１はＳＭＳメッセージを電話番号が今や知られた電話２に送ることができる。データ転送は、電話番号の送信が成功したことの確認により終了する。
【図面の簡単な説明】
【００１９】
【図１】第１の移動電話と第２の移動電話を示す図である。
【図１】
2005519545.tif 000003
【国際調査報告】
2005519545.tif 000004
2005519545.tif 000005